(57)【要約】【課題】組立が容易、中の写真や絵はがきの交換が容易、絵はがきの汚れを防ぎ、絵や写真及び文面を見ることができる送付可能な卓上用額縁を提供する。【解決手段】  連結部で折り曲げ可能な宛名側フレーム及び額縁側フレームを備え、宛名側フレームと額縁側フレームとの間に、一方の面が宛名面で他方の面が絵や写真である絵はがきを挟んで送付可能な卓上額縁である。それは、宛名側フレーム及び額縁側フレームに窓が形成されていて、宛名側フレームと額縁側フレームとの間に絵はがきを挟んだ場合に、宛名側フレームの窓に絵はがきの宛名面が現れ、額縁側フレームの窓に絵はがきの絵や写真が現れる。また、宛名側フレームが額縁側フレームより延出した脚部を有し、脚部の所定の位置に、宛名側フレームの厚さのほぼ半分までのミシン目が形成されており、それにより、送付段階では強度を維持し、受信後容易に組み立てられる。【選択図】図１Ｂ
2012055341.tif 000002
【特許請求の範囲】
【請求項１】
連結部で折り曲げ可能な宛名側フレーム及び額縁側フレームを備え、該宛名側フレームと額縁側フレームとの間に、一方の面が宛名面で他方の面が絵や写真である絵はがきを挟んで送付可能な卓上額縁であって、
前記宛名側フレーム及び額縁側フレームに窓が形成されていて、前記宛名側フレームと前記額縁側フレームとの間に前記絵はがきを挟んだ場合に、前記宛名側フレームの窓に前記絵はがきの宛名面が現れ、額縁側フレームの窓に前記絵はがきの絵や写真が現れ、
前記宛名側フレームが前記額縁側フレームより延出した脚部を有し、該脚部の所定の位置に、該宛名側フレームの厚さのほぼ半分までのミシン目が形成されており、それにより、送付段階では強度を維持し、受信後脚部を容易に組み立てられる、送付可能な卓上額縁。
【請求項２】
請求項１の送付可能な卓上額縁において、前記脚部が先細り形状に形成されている送付可能な卓上額縁。
【請求項３】
請求項１又は２の送付可能な卓上額縁において、さらに、前記額縁側フレームに、前記額縁側フレームの窓の全面を覆う第１の透明シートを固着し、さらに、前記宛名側フレームの窓の一部を覆うように、前記第１の透明シートに重ねて第２の透明シートを重ねて固着することによって、前記絵はがきや写真の一部を収容する収容部が形成されており、
前記額縁側フレームの前記連結部の近くに角押さえが設けられていて、前記絵はがきや写真の角を押さえ、それにより、前記絵はがきや写真を接着することなく保持でき、また、容易に取り出せることができる、送付可能な卓上額縁。
【請求項４】
請求項１乃至３のいずれかの送付可能な卓上額縁において、前記宛名側フレーム及び額縁側フレームが、絵はがきを挟み込む前に互いに接着されている、送付可能な卓上額縁。
【請求項５】
請求項１乃至４のいずれかの送付可能な卓上額縁において、前記額縁側フレームの前記連結部とは反対側の端部近くに一対の角押さえが設けられていて、該一対の角押さえと前記連結部の近くに設けられた角押さえとによって、前記絵はがきや写真を接着することなく保持でき、また、容易に取り出せることができる、送付可能な卓上額縁。
【発明の詳細な説明】
【技術分野】
【０００１】
本発明は、絵はがきや写真を挿入して家具や机の上に飾るために使用される卓上用額縁であって、郵便等により送付可能な卓上用額縁に関する。
【背景技術】
【０００２】
個人的に、知人、親しい人、離れて暮らす肉親等に、近況等を連絡する場合や、旅行先にて素晴らしい景色に感動した場合等に、絵や写真付きの絵はがきに文面を添えて郵送することがある。それを受け取った者は、その絵はがきを家具の上にそのまま立て掛けて飾ることが多い。時には画鋲で壁に留めて飾ることもある。このため、絵はがきがずれ落ちたり、汚れたり、傷ついたりしてしまうことがある。また、絵手紙のように水性の画材で描かれているものは、配達の途中において雨滴がついたり自宅で飾っているときにしみができたりするなど汚れやすい。このため、絵はがきを安定した状態で立て掛けて飾ることや汚れを防ぐことが要望されていた。
【先行技術文献】
【特許文献】
【０００３】
【特許文献１】特表２００２−５１５９８３号公報
【特許文献２】特開２００６−０１５７１４号公報
【特許文献３】特開２００５−１１１８８７号公報  特許文献１は額縁はがきを開示する。その額縁はがきは、分割線で折り曲げることのできる主パネルを有し、折り畳んで内部に写真等を入れ、額縁はがきの周囲をのりづけして密封し、その状態で郵送する。折り畳んだはがきの一方の面にミシン目付パネルが形成されていて、受け取った人はそれを切り取って内部の写真が見えるようにする。他方の面にスリットの差込口が形成されていて、それに、切り取ったミシン目付パネルを差し込んでスタンドとする。
【０００４】
特許文献２ははがき写真立てを開示する。その写真立ては、枠部を有する写真等の収容部に写真等を収容し、透明樹脂フィルムをかぶせ、収容部の周縁の部分をのり付けして郵送することができる。宛名等を書き込む側に、ミシン目状の切り込み及び凹部が形成されていて、それを切り出してスタンドとして用いる。
【０００５】
特許文献３はフォトスタンド化して飾ることのできるはがきを開示する。はがきの絵の描かれた側に、非晶性ポリエステル、ポリエチレン又はポリエチレンテレフタレートからなる透明板が貼着されている。はがきを下から３分の一の位置にある折り曲げ線から折り曲げると略Ｌ字形状のフォトスタンドとなる。
【発明の概要】
【発明が解決しようとする課題】
【０００６】
上記の特許文献によると、絵はがきを受け取った者はその絵はがきが収容されているものに手を加えると、その絵はがきを額縁やフォトスタンドとして飾ることができる。
【０００７】
しかし、それらの特許文献のものでは、送付する側が、送付するための絵はがきを組み立てる際に、組み立てたり折り畳んだりしなければならない回数が多かったり、受け取った側が、中の写真等を見るためにはパネルの取り外し等を行ったり、切り込みから切り離してスタンドを作らなければならない。
【０００８】
また、従来のものでは、中の写真や絵はがきを容易に交換して他の写真や絵はがきを飾ることができない。
【０００９】
また、絵はがきは、絵や写真が主たるものとして重要なものであることは当然であるが、その絵や写真と直接に関連するその裏面の文面も非常に重要なものである。しかし、特許文献のものは、絵や写真を見せるように構成されているが、文面側を見せるようには構成されていない。
【００１０】
そこで、本発明は、送付するまでの絵はがきの組み立てに手間がかからず、また、受け取った者が卓上用額縁として飾るときにも手間をかけることなく卓上に安定して絵はがきを飾ることができる卓上用額縁を提供する。
【００１１】
本発明は、絵はがきの絵や写真を透明シートで覆うことによって汚れを防ぐことができる卓上用額縁を提供する。
【００１２】
本発明は、絵はがきの絵や写真のみならず文面側にも窓を設けることによってその文面を読むことができる卓上用額縁を提供する。
【００１３】
また、本発明は、卓上用額縁を破壊することなく中の写真や絵はがきの交換も容易に行える卓上用額縁を提供する。
【課題を解決するための手段】
【００１４】
本発明に係る送付可能な卓上用額縁は、連結部で折り曲げ可能な宛名側フレーム及び額縁側フレームを備え、該宛名側フレームと額縁側フレームとの間に、一方の面が宛名面で他方の面が絵や写真である絵はがきを挟んで送付可能な卓上額縁であって、前記宛名側フレーム及び額縁側フレームに窓が形成されていて、前記宛名側フレームと前記額縁側フレームとの間に前記絵はがきを挟んだ場合に、前記宛名側フレームの窓に前記絵はがきの宛名面が現れ、額縁側フレームの窓に前記絵はがきの絵や写真が現れ、前記宛名側フレームが前記額縁側フレームより延出した脚部を有し、該脚部の所定の位置に、該宛名側フレームの厚さのほぼ半分までのミシン目が形成されており、それにより、送付段階では強度を維持し、受信後脚部を容易に組み立てられることを特徴とする。
【００１５】
その送付可能な卓上額縁において、前記脚部が先細り形状に形成されているようにしてもよい。
【００１６】
その送付可能な卓上額縁において、さらに、前記額縁側フレームに、前記額縁側フレームの窓の全面を覆う第１の透明シートを固着し、さらに、前記宛名側フレームの窓の一部を覆うように、前記第１の透明シートに重ねて第２の透明シートを重ねて固着することによって、前記絵はがきや写真の一部を収容する袋状の収容部が形成されており、前記額縁側フレームの前記連結部の近くに角押さえが設けられていて、前記絵はがきや写真の角を押さえ、それにより、前記絵はがきや写真を接着することなく保持でき、また、容易に取り出せるようにしてもよい。
【００１７】
その送付可能な卓上額縁において、前記宛名側フレーム及び額縁側フレームが、絵はがきを挟み込む前に互いに接着されていてもよい。
【００１８】
また、その送付可能な卓上額縁において、前記額縁側フレームの前記連結部とは反対側の端部近くに一対の角押さえが設けられていて、該一対の角押さえと前記連結部の近くに設けられた角押さえとによって、前記絵はがきや写真を接着することなく保持でき、また、容易に取り出せることができる。
【発明の効果】
【００１９】
本発明によると、送付するまでの絵はがきの組み立てに手間がかからず、また、受け取った者が卓上用額縁として飾るときにも手間をかけることなく卓上に安定して絵はがきを飾ることができる卓上用額縁を提供することができる。
【００２０】
本発明によると、絵はがきの絵や写真を透明シートで覆うことによって汚れを防ぐことができる卓上用額縁を提供することができる。
【００２１】
本発明によると、絵はがきの絵や写真のみならず文面側にも窓を設けることによってその文面を読むことができる卓上用額縁を提供することができる。
【００２２】
また、本発明によると、卓上用額縁を破壊することなく中の写真や絵はがきの交換も容易に行える卓上用額縁を提供することができる。
【図面の簡単な説明】
【００２３】
【図１Ａ】図１Ａは、本発明の一実施形態に係る送付可能な卓上用額縁の組立方法を説明するための展開斜視図である。
【図１Ｂ】図１Ｂは、本発明の一実施形態に係る送付可能な卓上用額縁の組立方法を説明するための展開斜視図である。
【図２Ａ】図２Ａは、図１に示す送付可能な卓上用額縁の一部の拡大図である。
【図２Ｂ】図２Ｂは、図１に示す送付可能な卓上用額縁の一部の拡大図である。
【図３Ａ】図３Ａは、図１に示す送付可能な卓上用額縁を郵送する際の一例を示す背面図である。
【図３Ｂ】図３Ｂは、図３Ａに示す送付可能な卓上用額縁の右側面図である。
【図４Ａ】図４Ａは、図３Ａ及び図３Ｂに示す送付可能な卓上用額縁を郵送により受け取った者の使用の一例を示す正面図である。
【図４Ｂ】図４Ｂは、図３Ａ及び図３Ｂに示す送付可能な卓上用額縁を郵送により受け取った者の使用の一例を示す背面図である。
【図４Ｃ】図４Ｃは、図３Ａ及び図３Ｂに示す送付可能な卓上用額縁を郵送により受け取った者の使用の他の例を示す正面図である。
【図５Ａ】図５Ａは、図３Ａ及び図３Ｂに示す送付可能な卓上用額縁を郵送により受け取った者が絵を交換する方法を説明するための図である。
【図５Ｂ】図５Ｂは、図３Ａ及び図３Ｂに示す送付可能な卓上用額縁を郵送により受け取った者が絵を交換する方法を説明するための図である。
【図５Ｃ】図５Ｃは、図３Ａ及び図３Ｂに示す送付可能な卓上用額縁を郵送により受け取った者が絵を交換する方法を説明するための図である。
【図５Ｄ】図５Ｄは、図３Ａ及び図３Ｂに示す送付可能な卓上用額縁を郵送により受け取った者が絵を交換する方法を説明するための図である。
【図６】図６は、本発明の第２実施形態に係る送付可能な卓上用額縁の正面図である。
【発明を実施するための形態】
【００２４】
［送付するまでの卓上用額縁の構成］
図１Ａ及び図２Ａは、本発明の一実施形態に係る送付可能な卓上用額縁１の構成を説明するための図である。なお、全図において、各部材の厚さ、長さ、形状、部材同士の間隔、隙間等は、理解の容易のために、適宜、拡大・縮小・変形・簡略化等をしている。図の説明の際の上下・左右の表現は、その図に向かった状態でのその図面の面に沿った方向を表すものとする。
【００２５】
図１Ａは、送付前の卓上用額縁１を展開した状態を示す。卓上用額縁１は、宛名側フレーム１０と額縁側フレーム２０とからなり、図１Ａに示すように、宛名側フレーム１０を連結部３０から広げるように展開したり、宛名側フレーム１０を連結部３０から手前側に倒すように折り曲げて、図３Ａに示すように、額縁側フレーム２０に重ねたりすることができる。後述するように、絵はがきは、宛名側フレーム１０と額縁側フレーム２０とによって挟まれるようにそれらの間に置かれる。
【００２６】
宛名側フレーム１０及び額縁側フレーム２０は、ともに、厚紙から作ることができる。ただし、他の材質のもの、例えば、合成樹脂で作ってもよい。紙で作る場合には、表面を撥水加工することが望ましい。
【００２７】
官製はがきや郵便はがきと呼ばれるはがきの一般的な寸法は、縦が１５．４ｃｍで、横が１０．７ｃｍであり、卓上用額縁１はそのような一般的な寸法のはがきを送付するのに適しているが、私製はがきのようにその寸法を異なるものであれば、その寸法に応じた大きさの卓上用額縁１を作ることによってその私製はがきを送付することができる。郵送や送付ための料金は、多くの場合、寸法や重量に基づいて定められており、卓上用額縁１を送付する際には、それによって定まる料金を例えば切手を貼付することによって支払うことになる。例えば、図４Ｂには、切手が１枚貼付された図が示されているが、料金に応じて、追加の切手を貼付する必要がある。
【００２８】
そのような一般的な寸法のはがきを卓上用額縁１によって送付する場合には、卓上用額縁１の寸法は、例えば、宛名側フレーム１０に関しては、厚さが約０．８ｍｍ、長手方向の寸法が約２３．３ｃｍ、幅方向の寸法が約１１．８ｃｍであり、額縁側フレーム２０に関しては、厚さが約１．０ｍｍ、長手方向の寸法が約１６．４ｃｍ、幅方向の寸法が約１１．８ｃｍである。額縁側フレーム２０の厚さが宛名側フレーム１０の厚さよりも大きいのは、額縁側フレーム２０に絵や写真が現れる窓２１の枠に傾斜面が形成できるようにして立体感を表すためである。
【００２９】
また、一部のエアメールの寸法は一般的なはがきよりも大きいため、そのような大きな寸法のエアメールを送付する場合には、その寸法に対応した大きさの宛名側フレーム及び額縁側フレームを持つ卓上用額縁を用いればよい。
【００３０】
宛名側フレーム１０は、窓１１が切り抜かれた窓枠フレーム１１ｆと脚部１２とからなる。窓枠フレーム１１ｆは、連結部３０に接続されているトップ部１１ｔと、左右の側面部１１ｓ，１１ｓと、脚部１２につながる端部１１ｅとからなる。端部１１ｅには接着面が形成されていて、それに、後述する額縁側フレーム２０の窓枠フレーム２１ｆの端部２１ｅが接着される。その接着を行うまで、端部１１ｅの接着面には剥離可能なテープが貼られている。
【００３１】
後述する図３Ａに示すように、宛名側フレーム１０を連結部３０で折り曲げて閉じて額縁側フレーム２０に重ねたときに、窓１１からは、額縁側フレーム２０上に置いたはがきのあて名の面が露出する。
【００３２】
図１Ａに戻ると、脚部１２は、台部１４と支え部１６と固定部１８とからなる。台部１４の一部には滑り止め１４ｎを貼っている。詳しくは後述するように、脚部１２は、送付された卓上用額縁を例えば郵送により受け取った者（以下、「受信者」という）が、折り曲げ線１４ｄ、１６ｄ及び１８ｄから、図１Ａにおいて山折りになるように折り曲げると、例えば、図４Ａのように卓上用額縁を立てる場合のスタンドとして機能することができる。滑り止め１４ｎはそのときに有益である。
【００３３】
折り曲げ線１４ｄ、１６ｄ及び１８ｄは、ミシン目の切り込みを脚部１２の厚さの半分まで形成したものである。つまり、それらのミシン目は、図１Ａに現れている面から脚部１２の裏面に向かって、脚部１２の厚さの半分まで形成されている。そのため、それらの折り曲げ線１４ｄ及び１８ｄにおいて山折りに折り曲げるのは容易である。一方、脚部１２の厚さの半分までにはミシン目が形成されていないため、脚部１２の強度を保持でき、郵送の段階においてそれらの線から容易に折れたりはしない。
【００３４】
額縁側フレーム２０は、窓２１が切り抜かれた窓枠フレーム２１ｆからなり、絵はがきの角を押さえる角押さえ２２，２３が取り付けられている。窓枠フレーム２１ｆは、連結部３０に接続されているトップ部２１ｔと、左右の側面部２１ｓ，２１ｓと、端部２１ｅとからなる。
【００３５】
窓枠フレーム２１ｆのトップ部２１ｔ、左右の側面部２１ｓ，２１ｓ及び端部２１ｅの内面上（宛名側フレーム１０が接する面）には、それぞれの外周から一定の幅を空けて、窓２１を覆うように、第１の透明シート２７が貼り付けられている。また、第１の透明シート２７の一部分（宛名側フレーム１０が接する側）に、第２の透明シート２８が重ねられている。第２の透明シート２８は、端部２１ｅから窓２１を３分の１から半分ぐらい覆う位置まで、左右の側面部２１ｓ，２１ｓと端部２１ｅとに貼り付けられている。第１の透明シート２７と第２の透明シート２８との間は、窓枠フレーム２１ｆに貼り付けられた部分を除いて接着されてなく、それらの間で袋状の収容部が形成されている。その収容部には詳しくは後述するように、絵はがきの一部が挿入される。
【００３６】
なお、第１の透明シート２７と第２の透明シート２８とが窓枠フレーム２１ｆに貼り付けられる部分に沿って、第１の透明シート２７と第２の透明シート２８との間に、絵はがきより薄い紙片を張り付けることによって、第１の透明シート２７と第２の透明シート２８との間に隙間をつくると、絵はがきの挿入や取り出しが容易に行えるようになる。
【００３７】
また、窓枠フレーム２１ｆのトップ部２１ｔ及び左右の側面部２１ｓ，２１ｓの一定の幅の外周には、第１の透明シート２７及び第２の透明シート２８が貼り付けられてなく、接着面２４，２５，２６が形成されていて、その上には剥離可能なテープが貼られている。接着面２４，２５，２６は、宛名側フレーム１０及び額縁側フレーム２０を折り重ねたときに、窓枠フレーム１１ｆのトップ部１１ｔ及び左右の側面部１１ｓ，１１ｓと接着される。
【００３８】
また、窓枠フレーム１１ｆの端部１１ｅには接着面が形成されていて剥離可能なテープが貼られている。端部２１ｅは、端部１１ｅと同様な幅及び長さに形成されていて、端部１１ｅの剥離可能なテープを剥いだときに、端部１１ｅの接着面と接着する。
【００３９】
また、図１Ａ、図１Ｂ及び図３Ｂに示すように、端部２１ｅの端面には、傾斜面が形成されている。このため、宛名側フレーム１０と額縁側フレーム２０とを折り重ねたときの縁側フレーム２０と宛名側フレーム１０との急峻な段差が解消され、郵送されている間に、他の郵便物との干渉を回避することができる。すなわち、額縁側フレーム２０の窓枠フレーム２１ｆの端部２１ｅの端面の角が、他の郵便物に引っ掛かったり、他の郵便物に傷を付けたりすることを防ぐことができる。
【００４０】
角押さえ２２，２３は、窓枠フレーム２１ｆのトップ部２１ｔに固定されている。図２Ｂにおいて、角押さえ２２の左側の縦方向の辺と、角押さえ２３の右側の縦方向の辺との間隔は、窓枠フレーム１１ｆの窓の幅より大きく、また、送付予定の絵はがきの幅よりわずかに大きく、例えば、約１０．８ｃｍである。
【００４１】
第１の透明シート２７と第２の透明シート２８との間に形成された袋状の収容部と、角押さえ２２，２３とは、絵はがきを一定位置に保持する一方、絵はがきを簡単に取り外せるように機能する。つまり、それらは、郵送しているときや額縁として絵はがきを飾っているときには、宛名側フレーム１０と額縁側フレーム２０との間に挟まれた絵はがきが動くのを防止する。一方、絵はがきを交換するときには、それらから容易に絵はがきを取り出すことができる。
【００４２】
また、宛名側フレーム１０と額縁側フレーム２０とは、接続部３０において、滑らかに開閉ができればよいため、接続部３０はそのように機能するものであればどのような構成でも良い。例えば、図１Ａに示すように、宛名側フレーム１０のトップ部１１ｔを折り畳んだ紙片で挟み、その紙片の開放された端部側を額縁側フレーム２０のトップ部２１ｔに貼り付けて固定するようにしてもよい。接続部３０には開閉の際の力が加わることがあるため、そのような紙片を用いると、宛名側フレーム１０のトップ部１１ｔ及び額縁側フレーム２０のトップ部２１ｔを補強できるとともに、それらの歪みを防ぐことができる。
【００４３】
図１Ｂ及び図２Ｂは、額縁側フレーム２０上に絵はがき４０を置いた状態を示す。その状態にするためには、まず、絵はがき４０の下側を第１の透明シート２７と第２の透明シート２８とによって形成された袋状の収容部に差し込む。次に、絵はがき４０の上側を少し山なりになるようにしならせて、左右の角を角押さえ２２，２３内に挿入する。挿入されると、絵はがきには何らの力も加わらず絵はがきが変形することはない。
【００４４】
なお、図１Ｂ及び図２Ｂのように、額縁側フレーム２０上に絵はがき４０を置く前に、絵はがき４０の宛先面には、宛先を記入しておくことが望ましい。
［送付時の卓上用額縁］
図３Ａは、図１Ｂの状態において、宛名側フレーム１０を連結部３０から手前側に折り畳んで額縁側フレーム２０上に重ねたときの正面図である。図には示していないが、絵はがき４０の宛名面には、既に宛名が記入されている。
【００４５】
宛名側フレーム１０を重ねる前に、窓枠フレーム２１ｆ上の接着面２４，２５，２６及び端部１１ｅの接着面の剥離可能なシールをはがすと、二つをおり重ねたときに、窓枠フレーム１１ｆのトップ部１１ｔ、左右の側面部１１ｓ，１１ｓ及び端部１１ｅが、それぞれ、窓枠フレーム２１ｆのトップ部２１ｔ、左右の側面部２１ｓ，２１ｓ及び端部２１ｅと接着する。ただし、絵はがきは接着されない。このように、絵はがきを宛名側フレーム１０と額縁側フレーム２０との間に収容して周囲を接着すると、この卓上用額縁は郵送できるようになる。
【００４６】
図３Ａに示すように、絵はがきの上側の半分以上は第２の透明シート２８によって覆われずに、切手が露出している。これにより、郵送の場合に、絵はがきを送付しようとする者（以下、「送信者」という）がこの卓上用額縁を郵送により送付しようとする場合、切手に消印ができるようになることから、絵はがきの宛名面以外の部分に、別途、送付先を記入したり切手を貼ったりする必要がない。また、図３Ａには、縦長のはがきの宛名面を示しているが、横長のはがきであっても、第２の透明シート２８によって覆われない部分に切手が露出されるため、切手の消印は可能である。
【００４７】
図３Ａの卓上用額縁の裏側には、絵はがきの絵や写真が現れている。例えば、図４Ａにその例を示す。ただし、図４Ａでは脚部１２を折り曲げた状態を示している。
［受領後の卓上用額縁の形態］
卓上用額縁の受信者は、それを額縁として飾るときには、図３Ａにおいて、脚部１２の折り曲げ線１４ｄ、１６ｄ及び１８ｄから、谷折りになるように、つまり、脚部をそれらの線から図３Ａの裏面から表面に向かって曲げるように折り曲げる。そうすると、脚部１２のそれらの折り曲げ線のミシン目が開くように折れ曲がるため、その折り曲げ線から奇麗な直線で折り曲げることができる。その折り曲げた状態を図４Ｂに示す。その図に示すように、折り曲げ線１４ｄと折り曲げ線１６ｄとの間にはテーブルに接する台部１４が形成され、折り曲げ線１６ｄと折り曲げ線１８ｄとの間には支え部１６が形成される。折り曲げ線１８ｄから折り曲げられた固定部１８は、図３Ａにおいて、「両面テープ保護シート（受取人様がお剥がし下さい）」と記載された保護シート１８ｃを剥いだその下の接着面に接着される。
【００４８】
このように、受信者は、脚部１２を所定の折り曲げ線で折り曲げて、その端部を、窓枠フレーム１１ｆの保護シートが貼られた接着面に、それを剥いで接着させるだけで、卓上用額縁を完成することができる。
【００４９】
図４Ａは、額縁側フレーム２０側から見た卓上用額縁１である。額縁側フレーム２０の端部１１ｅには、「夏休みの思い出」という題名が枠内に付されているが、その枠及びその題名を付けるのは任意であり、送信者が、予め、枠だけを付してもよく又は枠及び題名を付してもよい。または、受信者が、既に枠が付されていればその枠内に題名を付してもよく、枠及び題名の両方を付してもよい。
【００５０】
図４Ａに示すように、額縁側フレーム２０の窓２１から絵はがきの絵や写真を鑑賞することができる。その窓２１の全体には第１の透明シート２７が貼られているため、写真や絵を汚すことがない。また、その裏面には、図４Ｂに示すように、発信者の名前や文面が読み取れるようになっているため、絵はがきや写真を見る楽しみが増える。
【００５１】
また、図４Ｃに示すように、写真や絵が横向きのときには、額縁側フレーム２０を横向きに置くことができる。これは、脚部１２が、図３Ａから明らかなように、少し先細りの形状になっているため、額縁側フレーム２０を横向きに置くと、台部１４の先細りの形状によって、額縁側フレーム２０がやや後ろ側に傾くからである。この場合には、滑り止め１４ｎは、滑り止めではなく、額縁側フレーム２０の模様の一部となる。
【００５２】
図５Ａから図５Ｄは、中の写真又は絵はがきを取り替える方法を説明するための図である。
【００５３】
上記のとおり、宛名側フレーム１０と額縁側フレーム２０とは接着面２４，２５，２６及び端部１１ｅの接着面によって接着されている。そのため、それらを剥がそうとするとせっかく受け取った卓上用額縁が壊れてしまう。このため、図５Ａから図５Ｄに示す方法によると、卓上用額縁を破壊することなく中の写真又は絵はがきを容易に取り替えることができる。
【００５４】
最初に、図５Ａに示すように、絵はがきの宛名面が手前を向くように窓枠フレーム１１ｆ側のトップ部１１ｔを上にする。
【００５５】
次に、図５Ｂに示すように、窓枠フレーム１１ｆの左右の側面部１１ｓ，１１ｓから両手ではがき４０を持ち、矢印で示すように、両方の親指によって、はがきを下方にずり下げるようにする。これにより、はがき４０の上端部と窓枠フレーム１１ｆのトップ部１１ｔとの間に隙間を作る。
【００５６】
次に、例えば、図５Ｃに示すように、左手の人差し指の指先で、はがき４０の上端部を手前に引っ張ってはがきを湾曲させてその隙間を広げるようにする。中のはがきが湾曲して隙間が広がると、はがきの角が角押さえ２２，２３から外れるので、はがきをそのフレームから引き出すことができる。なお、図５Ｃのように、左手の人差し指の指先で、はがき４０の上端部を手前に引っ張ってはがきを湾曲させているときに、図５Ｄに示すように、右手の人差指で、裏側の絵や写真の上端部の近くを押して、絵はがきが湾曲するのを補助するようにしてもよい。
【００５７】
次に、これまでの絵はがきの取り出しの作業をさかのぼるように、別の写真を窓枠フレーム１１ｆの上端部の隙間から挿入して、下側を第１及び第２の透明シート２７，２８の袋状の収容部に挿入し、絵はがきの上端部の角を角押さえ２２，２３に挿入し、その挿入した写真の位置を整えて上端部の隙間をなくすと写真の交換は完了する。
【００５８】
［他の実施形態］
図６は、本発明の第２実施形態に係る卓上用額縁を示す。
【００５９】
図１Ａ等に示す実施形態では、送付前には、図１Ａに示すように、宛名側フレーム１０と額縁側フレーム２０とが展開できる。それに代えて、第２実施形態では、送付前から、それらを接着するようにしてもよい。
【００６０】
また、図１Ａ等の実施形態では、角押さえ２２及び角押さえ２３は三角形の袋状のものであるが、それに代えて、第２実施形態では、角押さえ２２ａ及び角押さえ２３ａは、各々三角形状の１枚の紙片状のものから構成し、その紙片の直交する２辺の端部を窓枠フレーム２１ｆのトップ部２１ｔ及び左右の側面部２１ｓに接着して、その紙片と窓枠フレーム２１ｆとの間で袋状の部分を形成するようにしてもよい。
【００６１】
また、図１Ａ等の実施形態では、図１Ｂに示すように、絵はがきの下側を覆うように、第２の透明シート２８が貼られている。図１Ａ等の実施形態と同様に、第２実施形態でも第２の透明シート２８をその位置に貼ってもよい。また、図６に示すように、第２の透明シート２８の幅を狭くし、又は上に移動して、絵はがきの下側を空けるようにしてもよい。この場合には、第２の透明シートで覆わなくなった部分には、絵はがきの下側の端部を押さえるための別の一対の角押さえ２２ｂ，２３ｂを設けることが望ましい。
【００６２】
このように、絵はがきの下側の部分を第２の透明シートで覆わないようにしたのは、絵はがきの下側にも切手が貼れるようにして切手を貼る位置が制限されないようにするためと、絵はがきによっては、絵又は写真の向きに合わせてその絵はがきを第１及び第２の透明シートの間に挿入すると、宛名側の切手の位置が、図１Ｂの絵はがきの宛名面とは反対の下側になるものがあり、それに対応するためである。
【００６３】
第２実施形態における絵はがきの挿入は、図１Ａ等の実施形態に関して図５Ａから図５Ｄを参照しながら説明したように、絵はがきを抜き出す手順をさかのぼるように、卓上用額縁を必要に応じて湾曲させながら、絵はがきの下方側を、第１の透明シート２７と第２の透明シート２８との間に挿入し、さらに、絵はがきの下端部の角を角押さえ２２ｂ及び角押さえ２３ｂに挿入し、次に、絵はがきの上端部の角を角押さえ２２ａ及び角押さえ２３ａに挿入する。これで、送付することができるようになる。
【００６４】
図１Ａ等の実施形態においても、第２実施形態のように、第２の透明シート２８の幅を狭くし、又は上に移動して、絵はがきの下側を空け、第２の透明シート２８で覆わなくなった部分に、絵はがきの下側の端部を押さえるための別の一対の角押さえを設けてもよい。
【００６５】
また、上記の２つの実施形態において、第２の透明シートの幅は例えば切手の幅よりも狭くしてもよい。そうすると、例えば切手の上に第２の透明シートがかぶさった場合であってもその切手の消印は可能になる。また、絵はがきの四隅を角押さえ２２，２３等によって確実に押さえることができる場合には、第２の透明シートをなくしてもよい。
【００６６】
また、上記の２つの実施形態において、絵はがきを送るために、その絵はがきを第１及び第２の透明シート２７，２８の間に挿入する際に、絵はがきの表裏を取り違えることがある。つまり、宛名面が額縁側フレーム２０の窓に露出し、絵はがきの絵や写真が宛名側フレーム１０の窓に露出する状態である。それに気がつかないで投函すると、宛名面の全面が第１の透明シート２７によって覆われているため、宛名面に貼られた切手の消印ができなくなり、配送途中で卓上用額縁が返却されてしまうことになる。
【００６７】
それを防ぐために、宛名面の誤挿入を容易に発見できるように、予め、第１の透明シート２７には、半透明又は不透明の剥離可能なシートを貼り、宛名面がそれによって隠れていないことを視覚的に気が付きやすいようにしてもよい。誤挿入でないことが確認できたときには、そのシートを剥がして投函する。
【００６８】
以上、本発明に係る接続治具用の接触子のいくつかの実施形態について説明したが、本発明はそれらの実施形態に拘束されるものではなく、当業者が容易になしえる追加、削除、改変等は、本発明に含まれるものであり、また、本発明の技術的範囲は、添付の特許請求の範囲の記載によって定められることを承知されたい。
【符号の説明】
【００６９】
１・・・卓上用額縁
１０・・・宛名側フレーム
１１，２１・・・窓
１２・・・脚部
１４・・・台部
１６・・・支え部
１４ｄ、１６ｄ及び１８ｄ・・・折り曲げ線
２０・・・額縁側フレーム
３０・・・連結部３０
２２，２３・・・角押さえ
２４，２５，２６・・・接着面
２７・・・第１の透明シート
２８・・・第２の透明シート
４０・・・絵はがき
【図１Ａ】
2012055341.tif 000003
【図１Ｂ】
2012055341.tif 000004
【図２Ａ】
2012055341.tif 000005
【図２Ｂ】
2012055341.tif 000006
【図３Ａ】
2012055341.tif 000007
【図３Ｂ】
2012055341.tif 000008
【図４Ａ】
2012055341.tif 000009
【図４Ｂ】
2012055341.tif 000010
【図４Ｃ】
2012055341.tif 000011
【図５Ａ】
2012055341.tif 000012
【図５Ｂ】
2012055341.tif 000013
【図５Ｃ】
2012055341.tif 000014
【図５Ｄ】
2012055341.tif 000015
【図６】
2012055341.tif 000016